(57)【要約】 【課題】簡易な構造で、排水管内の正圧にも負圧にも対応することが出来る両圧通気弁を提供する。【解決手段】本考案は、上記課題を解決するため、排水管に連通される接続部と、前記接続部に連設され内部に吸気弁を備え前記排水管内が負圧のときに前記吸気弁が排水管内に取り入れる外気によって持ち上げられて排水管内に空気を取り込む吸気部と、前記接続部に連設され内部に排気弁を備え前記排水管内が正圧のときに前記排気弁が排水管から排出される空気に押し上げられ排水管内の空気を逃がす排気部とからなることを特徴とする両圧通気弁の構成とした。【選択図】  図１
0003165664.tif 000002
【実用新案登録請求の範囲】
【請求項１】
排水管に連通される接続部と、前記接続部に連設され内部に吸気弁を備え前記排水管内が負圧のときに前記吸気弁が排水管内に取り入れる外気によって持ち上げられて排水管内に空気を取り込む吸気部と、前記接続部に連設され内部に排気弁を備え前記排水管内が正圧のときに前記排気弁が排水管から排出される空気に押し上げられ排水管内の空気を逃がす排気部とからなることを特徴とする両圧通気弁。
【請求項２】
前記吸気部を本体の下側に位置させて、前記排気部を前記本体の上側に位置させて、前記吸気部と本体と前記排気部の配置が地面に対して略垂直で前記本体と排水管が連通することを特徴とする請求項１に記載の両圧通気弁。
【請求項３】
前記吸気部を吸気部内を二分する第一係止網を備え前記排気部と反対側の端部に吸気孔を穿設して前記第一係止網と吸気孔の間に吸気弁を移動可能に配置させた吸気部とし、前記排気部を、排気部内を二分する第二係止網を備え前記吸気部側に排気孔を穿設した係止プレートを備えて前記第二係止網と係止プレートの間に移動可能に排気弁を配置させた排気部とし、前記排水管内が負圧のときに、前記吸気部の吸気弁が第一係止網側に空気の流れで押し上げられて前記吸気孔を開放するとともに前記排気部の排気弁が係止プレート側に空気の流れで押し下げられて前記排気孔を封鎖して前記吸気孔から排水管内に空気を取り入れ、前記排気管内が正圧のときに、前記吸気部の吸気弁が前記吸気孔側に空気の流れで押し下げられて前記吸気孔を封鎖するとともに前記排気部の排気弁が第二係止網側に空気の流れで押し上げられて前記排気孔を開放して前記排水管内の空気を前記排気孔から逃がすことを特徴とする請求項１または請求項２に記載の両圧通気弁。
【考案の詳細な説明】
【技術分野】
【０００１】
本考案は、排水管に接続され、排水管内の空気圧の状態を調整して水の流れをスムーズにする通気弁に関する。
【背景技術】
【０００２】
従来、洗面、洗濯、流し、風呂、便所、手洗い等の排水は、排水管により連結され下水管へ接続されていた。
【０００３】
しかしながら、排水管内では、各所から流される排水と停滞していた水との間に空気が存在することがあるが、水を流す際に、停滞していた水と新たに流れてくる排水との間に存在する空気には正圧がかかり、若しくは上階と下階の水が同時に流された場合に、その各流水間に正圧がかかり排水の流れを妨害することがあった。また、流水が通過したときには器具封水と流水の間に負圧が生じ、封水を引っ張り、排水の流れを妨害することがあった。更に、負圧又は正圧時において、それぞれ負圧時の引っ張りと、中階の管が接続されており上階からの水と下階の水が同時に流される場合、中階の器具封水が跳ね出されて下水ガスが侵入することがあった。
【０００４】
現在、排水管内の空気の圧力状態を最適にするための通気弁があるが、いずれも構造が複雑でるため割高で、主に負圧状態に対応するものであり、排水管内の正圧に対する通気弁ではなかった。
【先行技術文献】
【特許文献】
【０００５】
【特許文献１】特開２００７−２５５５１３号公報
【考案の概要】
【考案が解決しようとする課題】
【０００６】
そこで、本考案は、簡易な構造で、排水管内の正圧にも負圧にも対応することが出来る両圧通気弁を提供する。
【課題を解決するための手段】
【０００７】
本考案は、上記の課題を解決するために、排水管に連通される接続部と、前記接続部に連設され内部に吸気弁を備え前記排水管内が負圧のときに前記吸気弁が排水管内に取り入れる外気によって持ち上げられて排水管内に空気を取り込む吸気部と、前記接続部に連設され内部に排気弁を備え前記排水管内が正圧のときに前記排気弁が排水管から排出される空気に押し上げられ排水管内の空気を逃がす排気部とからなることを特徴とする両圧通気弁の構成とした。
【０００８】
また、前記吸気部を本体の下側に位置させて、前記排気部を前記本体の上側に位置させて、前記吸気部と本体と前記排気部の配置が地面に対して略垂直で前記本体と排水管が連通することを特徴とする両圧通気弁の構成とした。
【０００９】
更に、前記吸気部を吸気部内を二分する第一係止網を備え前記排気部と反対側の端部に吸気孔を穿設して前記第一係止網と吸気孔の間に吸気弁を移動可能に配置させた吸気部とし、前記排気部を、排気部内を二分する第二係止網を備え前記吸気部側に排気孔を穿設した係止プレートを備えて前記第二係止網と係止プレートの間に移動可能に排気弁を配置させた排気部とし、前記排水管内が負圧のときに、前記吸気部の吸気弁が第一係止網側に空気の流れで押し上げられて前記吸気孔を開放するとともに前記排気部の排気弁が係止プレート側に空気の流れで押し下げられて前記排気孔を封鎖して前記吸気孔から排水管内に空気を取り入れ、前記排気管内が正圧のときに、前記吸気部の吸気弁が前記吸気孔側に空気の流れで押し下げられて前記吸気孔を封鎖するとともに前記排気部の排気弁が第二係止網側に空気の流れで押し上げられて前記排気孔を開放して前記排水管内の空気を前記排気孔から逃がすことを特徴とする両圧通気弁の構成とした。
【考案の効果】
【００１０】
本考案は、上記のような構成であるため、排水管内が正圧の場合は、効果的に空気を逃がし、負圧の場合は、効率的に空気を取り込んで、排水管内で水をスムーズに流すことができ、排水時の音鳴りや臭気の発生を防ぐことができ、中階に管が接続されている場合でも器具封水が跳ね出されることが無く中階における下水ガスの侵入を防ぐことが出来る。
【００１１】
また、構造が簡単であるため、生産コストを低く抑えることができ、通気弁を備えていない場合に導入しやすい。
【図面の簡単な説明】
【００１２】
【図１】本考案である両圧通気弁の正面図である。
【図２】本考案である両圧通気弁の背面図である。
【図３】本考案である両圧通気弁の左側面図である。
【図４】本考案である両圧通気弁の右側面図である。
【図５】本考案である両圧通気弁の平面図である。
【図６】本考案である両圧通気弁の底面図である。
【図７】本考案である両圧通気弁のＡ−Ａ線断面図である。
【図８】本考案である両圧通気弁の斜視分解図である。
【図９】本考案である両圧通気弁を取り付けて管内が正圧時の断面図である。
【図１０】本考案である両圧通気弁を取り付けて管内が負圧時の断面図である。
【考案を実施するための形態】
【００１３】
以下、添付の図面を参照し、本考案の実施の形態について詳細に説明する。
【実施例１】
【００１４】
図１は本考案である両圧通気弁の正面図、図２は両圧通気弁の背面図、図３は両圧通気弁の左側面図、図４は両圧通気弁の右側面図、図５は両圧通気弁の平面図、図６両圧通気弁の底面図、図７は両圧通気弁のＡ−Ａ線断面図、図８は両圧通気弁の斜視分解図、図９は両圧通気弁を取り付けて管内が正圧時の断面図、図１０は、両圧通気弁を取り付けて管内が負圧時の断面図である。
【００１５】
図１から図８に示すように、本考案である両圧通気弁１は、排水管に連通される接続部４と、前記接続部４に連設され内部に吸気弁２ｃを備え前記排水管内が負圧のときに前記吸気弁２ｃが排水管内に取り入れる外気によって持ち上げられて排水管内に空気を取り込む吸気部２と、前記接続部４に連設され内部に排気弁３ｄを備え前記排水管内が正圧のときに前記排気弁３ｄが排水管から排出される空気に押し上げられ排水管内の空気を逃がす排気部３とからなる。
【００１６】
図７及び図８に示すように、前記両圧通気弁１は、内部が中空の略Ｔ字状をし各端部が開口した本体５と前記本体５の各開口部に形成される吸気部２、排気部３及び接続部４を構成する部材からなる。尚、前記本体５の各開口部を第一口２ｆ、第二口３ａ、第三口４ａとした。
【００１７】
前記吸気部２は、外径が前記第一口２ｆの内径と等しく筒状をした第二内管２ｅと、直径が前記第二内管２ｅの外径の直径と等しく薄い円盤状の第一係止網２ｄと、直径が前記第一係止網２ｄの直径よりも小さい薄い円盤状の吸気弁２ｃと、内径及び外径が前記第二内管２ｅの内径及び外径と等しく第二内管２ｅよりも短い筒状の第一内管２ｂと、外径が前記第一口２ｆの外径と等しく内径が前記第一内管２ｂの外径と等しい筒体で一端は前記第一内管２ｂを挿入する開口を形成し他端は壁を設けて中心に直径が前記吸気弁２ｃの直径よりも小さい吸気孔２ｇを穿設したカバー２ａからなる。
【００１８】
前記第一内管２ｂは前記カバー２ａ内に全て嵌入され、前記第一内管２ｂ内に前記吸気弁２ｃを入れる。更に、前記第一内管２ｂの縁に合わせて前記第一係止網２ｄを取り付け、前記第二内管２ｅの一部を前記カバー２ａに嵌入する。前記第二内管２ｅの残りの部分は前記第一口２ｆに嵌入する。
【００１９】
尚、図７に示すように、前記第二内管２ｅの一部はカバー２ａにも第一口２ｆにも嵌入されておらず、カバー２ａの端部と第一口２ｆの端部の間には隙間が形成される。但し、この隙間は必須ではなく、部材のサイズにより隙間がない場合も考えられる。
【００２０】
前記吸気弁２ｃは前記カバー２ａ、第一内管２ｂ及び第一係止網２ｄで囲まれた空間内にあり、前記カバー２ａの吸気孔２ｇを設けた壁面と第一係止網２ｄの間を空気の流れに従って移動する。
【００２１】
例えば、両圧通気弁１内に空気を取り入れる流れの場合、即ち排気管内が負圧の場合は、前記吸気弁２ｃは排気管内の負圧により引き上げられると同時に流入する空気に押し上げられるため、その間は吸気孔２ｇから空気を取り入れることが可能となり、両圧通気弁１から空気を逃がす流れの場合、即ち排気管内が正圧の場合は、前記吸気弁２ｃは排気管内の正圧により押し下げられて前記吸気孔２ｇを塞ぐため吸気孔２ｇからの排気が不可能となる。
【００２２】
前記排気部３は、外径が前記第二口３ａの内径よりも小さく中央に大きな排気孔３ｇを穿設した薄い円盤状の係止プレート３ｂと、外径が前記第二口３ａの内径と等しく長さが前記第二口３ａの内壁の高さの半分程度の筒状の第三内管３ｃと、前記吸気弁２ｃと同形同大の排気弁３ｄと、前記第一係止網２ｄと同形同大の第二係止網３ｅと、前記第三内管３ｃと同形同大の第四内管３ｆからなる。尚、前記係止プレート３ｂ、前記第三内管３ｃの外径の直径及び前記第四内管３ｆの外径の直径と前記第二係止網３ｅの直径は等しく、前記排気弁３ｄの直径は前記第三内管３ｃの内径よりも小さく排気孔３ｇの直径よりも大きい。
【００２３】
まず、前記係止プレート３ｂが前記第二口３ａ内に挿入され、その後に前記第三内管３ｃが嵌入される。このとき、係止プレート３ｂは、第二口３ａ内の段差３ｈ部分と第三内管３ｃの端部に挟まれた状態となっている。
【００２４】
次に前記第三内管３ｃ内に排気弁３ｄを入れ、第三内管３ｃの縁に合わせて第二係止網３ｅを取り付け、最後に第四内管３ｆ全体を前記第二口３ａ内に嵌入する。従って、第二係止網３ｅの外周は第三内管３ｃと第四内管３ｆに挟まれた状態となっている。
【００２５】
前記排気弁３ｄは前記係止プレート３ｂ、第三内管３ｃ及び第二係止網３ｅで囲まれた空間内にあり、前記係止プレート３ｂと第二係止網３ｅの間を空気の流れに従って移動する。
【００２６】
例えば、両圧通気弁１内に空気を取り入れる流れの場合、即ち排気管内が負圧の場合は、前記排気弁３ｄは排気管内の負圧により引き下げられると同時に外気により押し下げられるため係止プレート３ｂ側に移動して排気孔３ｇを塞ぎ、前記排気孔３ｇからの空気の取り入れを防ぎ、両圧通気弁１から空気を逃がす流れの場合、即ち排気管内が正圧の場合は、前記排気弁３ｄは排気管内の正圧により押し上げられて排気孔３ｇが開き、排気孔３ｇからの排気を可能にする。
【００２７】
即ち、前記吸気部２は、吸気部２内を二分する第一係止網２ｄを備え前記排気部３と反対側の端部に吸気孔２ｇを穿設して前記第一係止網２ｄと吸気孔２ｇの間に吸気弁２ｃを移動可能に配置させており、前記排気部３は、排気部３内を二分する第二係止網３ｅを備え前記吸気部２側に排気孔３ｇを穿設した係止プレート３ｂを備えて前記第二係止網３ｅと係止プレート３ｂの間に移動可能に排気弁３ｄを配置させている。
【００２８】
そして、図１０に示すように、前記排水管６内が負圧のときに、前記吸気部２の吸気弁２ｃが流入する空気により押し上げられて前記吸気孔２ｇを開放するとともに前記排気部３の排気弁３ｄが流入しようとする空気により押し下げられて前記排気孔３ｇを封鎖して前記吸気孔２ｇからのみ排水管６内に空気を取り入れ、図９に示すように、前記排気管６内が正圧のときに、前記吸気部２の吸気弁２ｃは排気管内から流出しようとする空気により押し下げられて前記吸気孔２ｇを封鎖するとともに前記排気部３の排気弁３ｄが流出する空気により押し上げられて前記排気孔３ｇを開放して前記排水管６内の空気を前記排気孔３ｇから逃がす。
【００２９】
前記接続部４は、前記本体５に形成された第三口４ａからなる。この第三口４ａに排水管６や排水管６からの逆流防止管６ｂを接続することで、本考案である両圧通気弁１を取り付けることが出来る。
【００３０】
尚、本考案である両圧通気弁１を取り付ける際は、前記吸気部２を本体５の下側に位置させて、前記排気部３を前記本体５の上側に位置させて、前記吸気部２と本体５と前記排気部３の配置が地面に対して略垂直で前記本体５と排水管６が連通していることが好適であり、前記接続部４の連通位置は排水管６の略垂直部分であっても、横走り部分であっても構わない。
【００３１】
尚、図９において符号６ａは排水管内に停滞している水又は下階がある場合に上階と同時に流れた水を示しており、符号６ｃを付した矢印は水流を示している。
【００３２】
新たに水が流れてくると、停滞する水６ａと水流６ｃの間にある空気の状態が正圧となり、空気が逃げ場を求めて両圧通気弁１の方向に流れ、前記吸気弁２ｃ及び前記排気弁３ｄはそれぞれ外側に向かって押される。このとき、前記吸気弁２ｃは吸気孔２ｇを塞ぎ、前記排気弁３ｄは排気孔３ｇを開放した状態となり、排気孔３ｇから排気６ｄが行われる。
【００３３】
図９のように両圧通気弁１が機能して排水管６内の正圧状態が収まり、更に水が流れ続けた場合や、通常の水が通過すると器具の封水との間は、図１０に示すように負圧の状態となる。排水管６内が負圧になると空気を取り入れる流れが起こり、両圧通気弁１の吸気弁２ｃは外気により押し上げられ、排気弁３ｄは本体５側へ押し下げられる。このとき、前記吸気弁２ｃは吸気孔２ｇを開放し、前記排気弁３ｄは排気孔３ｇを塞いだ状態となり、吸気孔２ｇから吸気６ｅが行われる。
【００３４】
以上のように、本考案である両圧通気弁１は、排水管６内で繰り返される負圧と正圧の状態で起こる空気の流れに対応して吸気弁２ｃ及び排気弁３ｄが移動し、負圧の場合は空気を取り入れ、正圧の場合は空気を逃がすことで排水管内の水の流れをスムーズにすることができる。
【００３５】
また、排気管６内が正圧でも負圧でもない状態では、前記吸気弁２ｃは自重により吸気孔２ｇを塞ぎ、前記排気弁３ｄも自重により排気孔３ｇを塞いでいるため排気管内の臭気の放出を抑えることが出来る。
【００３６】
尚、図９及び図１０に示した符号６ｆは上階と下階の間に管が接続されている場合の中階管を示しており、前記中階管６ｆにも器具封水されている。
【００３７】
従来の問題でも指摘したとおり、上階と下階の間に中階管が接続されている場合、負圧時の引っ張りや、上階からの水と下階の水が同時に流される場合の中階の器具封水の跳ね出されにより封水がなくなり下水ガスが侵入することがあったが、本考案の両圧空気弁１を接続することにより管内の圧力を好適な状態に保つことが出来るため、中階の器具封水への影響がない。
【産業上の利用可能性】
【００３８】
本考案である両圧通気弁は、簡易な構造であるため設置費用、メンテナンス費用、交換費用が従来よりも低廉に抑えることができ、通気弁を備えていなかった既存住宅にも取り入れやすく、より快適な住環境を創出することができる。
【符号の説明】
【００３９】
１    両圧通気弁
２    吸気部
２ａ  カバー
２ｂ  第一内管
２ｃ  吸気弁
２ｄ  第一係止網
２ｅ  第二内管
２ｆ  第一口
２ｇ  吸気孔
３    排気部
３ａ  第二口
３ｂ  係止プレート
３ｃ  第三内管
３ｄ  排気弁
３ｅ  第二係止網
３ｆ  第四内管
３ｇ  排気孔
３ｈ  段差
４    接続部
４ａ  第三口
５    本体
６    排水管
６ａ  水
６ｂ  逆流防止管
６ｃ  水流
６ｄ  排気
６ｅ  吸気
６ｆ  中階管
【図１】
0003165664.tif 000003
【図２】
0003165664.tif 000004
【図３】
0003165664.tif 000005
【図４】
0003165664.tif 000006
【図５】
0003165664.tif 000007
【図６】
0003165664.tif 000008
【図７】
0003165664.tif 000009
【図８】
0003165664.tif 000010
【図９】
0003165664.tif 000011
【図１０】
0003165664.tif 000012